(57)【要約】【課題】未使用時にはタオル掛けが邪魔にならずに、使用時にはタオルを掛け易いタオル掛けを備えた建具とする。【解決手段】建具体２の左右の縦框２２の見込み面２２ｃに取付部材７のベース７ａをそれぞれ取付け、この各ベース７ａに未使用姿勢と使用姿勢に亘って上下回動自在にアーム７ｂをそれぞれ取付け、その左右のアーム７ｂ間にタオル掛け部材８を取付けてタオル掛け６とし、前記アーム７ｂが未使用姿勢の時にはタオル掛け部材８が縦框２２の見込み面２２ｃ内に収納され、アーム７ａが使用姿勢の時にはタオル掛け８が縦框２２の見付け面から大きく張り出すようにした建具。【選択図】図３
2008208591.tif 000002
【特許請求の範囲】
【請求項１】
枠体に建具体を開閉自在に取付け、この建具体にタオル掛けを取付けた建具であって、
前記タオル掛けは、左右の取付部材とタオル掛け部材を備え、
前記取付部材は、縦框に取付けたベースにアームを上下方向に未使用姿勢と使用姿勢とに亘って回動自在に取付け、
前記左右のアーム間に亘ってタオル掛け部材を取付け、
前記アームの回転中心は縦框の見込み面に位置し、当該アームが未使用姿勢の時にはタオル掛け部材の少なくとも一部分が縦框の見込み面内に収納され、前記アームが使用姿勢の時にはタオル掛け部材が縦框の見付け面よりも張り出すようにしたことを特徴とする建具。
【請求項２】
枠体に建具体を開閉自在に取付け、この建具体にタオル掛けを取付けた建具であって、
前記タオル掛けは、左右の取付部材とタオル掛け部材を備え、
前記取付部材は、縦框に取付けたベースに第１アームと第２アームを、未使用姿勢と使用姿勢とに亘って回動自在に取付け、
前記第１・第２アームが未使用姿勢の時にはタオル掛け部材の少なくとも一部分が縦框の見込み面内に収納され、前記第１・第２アームが使用姿勢の時にはタオル掛け部材が縦框の見付け面よりも張り出すようにしたことを特徴とする建具。
【請求項３】
枠体に建具体を開閉自在に取付け、この建具体にタオル掛けを取付けた建具であって、
前記タオル掛けは、左右の縦框にそれぞれ取付けた取付部材とその左右の取付部材間に取付けたタオル掛け部材を備え、
前記取付部材は、縮み状態と伸び状態とに亘って見込み方向に伸縮自在で、
前記取付部材が縮み状態の時にはタオル掛け部材の少なくとも一部分が縦框の見込み面内に収納され、前記取付部材が伸び状態の時にはタオル掛け部材が縦框の見付け面よりも張り出すようにしたことを特徴とする建具。
【請求項４】
枠体に建具体を開閉自在に取付け、この建具体にタオル掛けを取付けた建具であって、
前記タオル掛けは、左右の取付部材とタオル掛け部材を備え、
前記取付部材は、縦框に取付けたベースにアームを上下移動自在で、下方位置の時には未使用姿勢で、上方位置の時には使用姿勢に回動可能に取付け、
前記左右のアーム間に亘ってタオル掛け部材を取付け、
前記アームが未使用姿勢の時にはタオル掛け部材の少なくとも一部分が縦框の見込み面内に収納され、前記アームが使用姿勢の時にはタオル掛け部材が縦框の見付け面よりも張り出すようにしたことを特徴とする建具。
【発明の詳細な説明】
【技術分野】
【０００１】
本発明は、浴室の出入口に取付けられる開き戸、引戸、折戸などの浴室建具等の建具に関する。
【背景技術】
【０００２】
従来、浴室の出入口に取付けられる浴室建具としては、枠体に、ドア・障子等の建具体を開閉自在に取付けたものが知られている。
これらの浴室建具においては建具体にタオル掛けを取付け、その建具体にタオルを掛けることができるようにしたものが提案されている。
例えば、特許文献１に開示したように、建具体であるドアの左右の縦框に亘ってタオル掛けを取付けた浴室建具が提案されている。
【特許文献１】特開２００５−２１１２２０公報
【発明の開示】
【発明が解決しようとする課題】
【０００３】
前述した従来の浴室建具のタオル掛けは、建具体（ドア）の左右の縦框における面外方向一方の面内方向に向う面（見付け面）にブラケットをそれぞれ取付け、そのブラケット間にタオル掛けパイプを取付けたものである。
このようであるから、タオル掛けパイプの全体が縦框の見付け面よりも張り出すので、そのタオル掛けが邪魔になる。
例えば、縦框の脱衣室側の見付け面にタオル掛けを取付けた場合には、タオル掛けパイプが脱衣室側に張り出すから、その脱衣室の人がタオル掛けパイプに当ることがあり、タオル掛けが邪魔である。
また、縦框の浴室側の見付け面にタオル掛けを取付けた場合には、タオル掛けパイプが浴室側に張り出すから、その浴室の人がタオル掛けパイプに当ることがあり、タオル掛けが邪魔である。
【０００４】
本発明の目的は、未使用時にタオル掛けが邪魔にならないと共に、使用時にはタオル掛けにタオルを容易に掛けることができるようにした建具とすることである。
【課題を解決するための手段】
【０００５】
本発明は、枠体に建具体を開閉自在に取付け、この建具体にタオル掛けを取付けた建具であって、
前記タオル掛けは、左右の取付部材とタオル掛け部材を備え、
前記取付部材は、縦框に取付けたベースにアームを上下方向に未使用姿勢と使用姿勢とに亘って回動自在に取付け、
前記左右のアーム間に亘ってタオル掛け部材を取付け、
前記アームの回転中心は縦框の見込み面に位置し、当該アームが未使用姿勢の時にはタオル掛け部材の少なくとも一部分が縦框の見込み面内に収納され、前記アームが使用姿勢の時にはタオル掛け部材が縦框の見付け面よりも張り出すようにしたことを特徴とする建具である。
【０００６】
本発明は、枠体に建具体を開閉自在に取付け、この建具体にタオル掛けを取付けた建具であって、
前記タオル掛けは、左右の取付部材とタオル掛け部材を備え、
前記取付部材は、縦框に取付けたベースに第１アームと第２アームを、未使用姿勢と使用姿勢とに亘って回動自在に取付け、
前記第１・第２アームが未使用姿勢の時にはタオル掛け部材の少なくとも一部分が縦框の見込み面内に収納され、前記第１・第２アームが使用姿勢の時にはタオル掛け部材が縦框の見付け面よりも張り出すようにしたことを特徴とする建具であっても良い。
【０００７】
本発明は、枠体に建具体を開閉自在に取付け、この建具体にタオル掛けを取付けた建具であって、
前記タオル掛けは、左右の縦框にそれぞれ取付けた取付部材とその左右の取付部材間に取付けたタオル掛け部材を備え、
前記取付部材は、縮み状態と伸び状態とに亘って見込み方向に伸縮自在で、
前記取付部材が縮み状態の時にはタオル掛け部材の少なくとも一部分が縦框の見込み面内に収納され、前記取付部材が伸び状態の時にはタオル掛け部材が縦框の見付け面よりも張り出すようにしたことを特徴とする建具であっても良い。
【０００８】
本発明は、枠体に建具体を開閉自在に取付け、この建具体にタオル掛けを取付けた建具であって、
前記タオル掛けは、左右の取付部材とタオル掛け部材を備え、
前記取付部材は、縦框に取付けたベースにアームを上下移動自在で、下方位置の時には未使用姿勢で、上方位置の時には使用姿勢に回動可能に取付け、
前記左右のアーム間に亘ってタオル掛け部材を取付け、
前記アームが未使用姿勢の時にはタオル掛け部材の少なくとも一部分が縦框の見込み面内に収納され、前記アームが使用姿勢の時にはタオル掛け部材が縦框の見付け面よりも張り出すようにしたことを特徴とする建具であっても良い。
【発明の効果】
【０００９】
本発明によれば、未使用時にはタオル掛け部材の縦框の見付け面から張り出しが少ないので、未使用時にタオル掛けが邪魔にならない。
また、使用時にタオル掛け部材を縦框の見付け面から大きく張り出すことができるので、使用時にタオルを掛け易い。
【発明を実施するための最良の形態】
【００１０】
本発明の第１の実施の形態を説明する。
図１と図２に示すように、枠体１と、その枠体１に開閉自在に取付けた建具体２で建具、例えば浴室建具としてある。
前記建具は浴室の出入口３に取付けられ、浴室４と脱衣室５を区画している。
前記枠体１は、上枠１０と下枠１１と左右の縦枠１２を方形状に連結してある。
前記建具体２は、上框２０と下框２１と左右の縦框２２を方形状に連結し、その内部に面材２３が装着してある。面材２３としては樹脂プレートやガラス等が用いられる。
この実施の形態では、建具体２は浴室４側に開放する開き戸としてある。
これに限ることはなく、引き違い戸、片引き戸、折戸などであっても良い。
【００１１】
図２において、浴室４と脱衣室５方向を面外方向とし、下枠１１の長手方向を面内方向とする。
前記縦框２２の面外方向を見込み方向とし、面内方向を見付け方向とする。
前記縦框２２における脱衣室５側で見付け方向に向う面を一方の見付け面２２ａとし、縦框２２における浴室４側で見付け方向に向う面を他方の見付け面２２ｂとし、縦框２２における面材２３を装着した見込み方向に向う面を見込み面２２ｃとする。
【００１２】
前記左右の縦框２２間に亘ってタオル掛け６が取付けてある。
このタオル掛け６は、左右の取付部材７と、この左右の取付け部材７間に亘って取付けた長尺なタオル掛け部材８を備えている。
前記取付部材７は、ベース７ａと、そのベース７ａに未使用姿勢、例えば縦向姿勢と使用姿勢、例えば横向姿勢とに亘って回転自在に連結したアーム７ｂを有している。
前記タオル掛け部材８の長手方向端部が前記アーム７ｂに取付けられる。
この実施の形態では、前記アーム７ｂの長手方向一端部がベース７ａに回転自在に連結され、そのアーム７ｂの長手方向他端部にタオル掛け部材８の長手方向端部が取付けてある。
【００１３】
前記ベース７ａが図３，図４に示すように左右の縦框２２の見込み面２２ｃにビス等で固着して取付けられる。
そして、図３に示すように各アーム７ｂが未使用姿勢の時にはタオル掛け部材８が見込み面２２ｃ内に収納され、そのタオル掛け部材８は縦框２２の一方の見付け面２２ａよりも見込み方向一方側（脱衣室側）には張り出すことがないようにしてある。
これによって、未使用時にアーム７ｂを未使用姿勢とすることで、タオル掛け６が邪魔にならない。
【００１４】
この実施の形態では、ベース７ａ及び未使用姿勢のアーム７ｂが縦框２２の見込み面２２ｃ内に収納され、一方の見付け面２２ａよりも見込み方向一方側に張り出すことがないようにしてある。
このようにすることで、建具体２を面内方向に移動する時にタオル掛け６が他の部材に干渉することがないので、引戸や引き違い窓の場合に好ましい。
【００１５】
前記アーム７ｂが図４に示すように使用姿勢の時には、タオル掛け部材８が縦框２２の一方の見付け面２２ａよりも見込み方向一方側に大きく張り出し、そのタオル掛け部材８と面材２３との間の隙間が大きいので、使用時にタオルを掛け易い。
この実施の形態では、上框２０、下框２１、縦框２２の見込み面における見込み方向一方寄り（浴室側寄り）に面材２３が装着してあるので、縦框２２の一方の見付け面２２ａと面材２３との間の距離が長く、使用時にはより一層タオルを掛け易い。
【００１６】
前述のように、タオル掛け部材８の全部が縦框２２の見込み面２２ｃ内に収納されることが最も好ましいが、タオル掛け部材８の一部分を縦框２２の見込み面２２ｃ内に収納すれば、タオル掛け部材８の全部が縦框２２の一方の見付け面２２ａから見込み方向一方に張り出すことがないので、未使用時にタオル掛け６が邪魔にならないようにできる。
また、ベース７ａを一側片と他側片で鉤形状とし、その一側片にアーム７ｂを回転自在に連結し、他側片を縦框２２の一方の見付け面２２ａにビス等で固着して取付けても良い。
また、タオル掛け８は縦框２２の見込み面２２ｃにおける面材２３よりも浴室側に取付けても良い。
要するに、ベース７ａとアーム７ｂの回転中心７ｃが縦框２２の見込み面２２ｃに位置すれば、未使用時のタオル掛け部材８の縦框２２の見付け面２２ａ（２２ｂ）からの張り出し寸法を小さくできる。
【００１７】
次に、タオル掛け６の具体形状を図５〜図８に基づいて説明する。
図５に示すように、前記取付部材７は、アーム７ｂの回転を未使用姿勢、使用姿勢で規制するストップ機能と、アーム７ｂを未使用姿勢、使用姿勢で保持する保持機能と、アーム７ｂが未使用姿勢、使用姿勢まで回転したことを操作する人が感覚的に知ることができるクリック感機能を有する部材が設けてある。
例えば、ベース７ａに第１・第２規制受部３０，３１と、弾性変形する保持受部３２を、アーム回転中心７ｃの回りに回転方向に間隔を置いて設ける。
前記アーム７ｂには第１・第２規制部４０，４１と、第１・第２保持部４２，４３と、弾性変形用部４４を、アーム回転中心７ｃの回りに回転方向に間隔を置いて設ける。
【００１８】
具体的には、図５、図６に示すようにベース７ａの下部に軸状の突起３３と突出片３４を、アーム取付面３５よりも突出してそれぞれ設ける。
この突起３３の外周面は円弧面３３ａと、第１・第２突部３３ｂ，３３ｃと、凹部３３ｄを有していると共に、突起３３の中心部に取付用孔３３ｅが形成してある。
前記凹部３３ｄは第１突部３３ｂ、第２突部３３ｃの間に形成され、突出片３４は凹部３３ｄと対向している。
前記アーム７ｂの下部には、ベース側面４５に開口した凹部４６が形成され、この凹部４６の内周面はアーム回転中心７ａを中心とするほぼ円形状で、その中心を境として径方向に対向した第１・第２円弧面４６ａ，４６ｂと、周方向に約９０度ずれた第１・第２凹陥部４６ｃ、４６ｄと、第１円弧面４６ａと第１凹陥部４６ｃを連結する第１面４６ｅと、第１円弧面４６ａと第２凹陥部４６ｄを連結する第２面４６ｆと、第１凹陥部４６ｃと第２円弧面４６ｂを連結する第３面４６ｇと、第２円弧面４６ｂと第２凹陥部４６ｄを連結する第４面４６ｈを有している。
【００１９】
前記凹部４６に突起３３、突出片３４が嵌まり込むようにしてアーム７ｂをベース７ａに取付けると、円弧面３３ａに第１円弧面４６ａが回転自在に接し、この状態で軸４７をアーム７ｂの透孔４８からベース７ａの取付用孔３３ｅに嵌合することでアーム７ｂがベース７ａに回転自在に取付けられる。
【００２０】
そして、アーム７ｂを矢印ａ方向に回転して未使用姿勢の時には図５に示すように、第１面４６ｅが第１突部３３ｂに当接してアーム７ｂが矢印ａ方向に回転することを規制し、タオル掛け部材８が面材２３に当ることがないようにする。つまり、第１突部３３ｂが第１規制受部３０、第１面４６ｅが第１規制部４０で、アーム７ｂの回転を未使用姿勢で規制する。
この時、突出片３４が第１凹陥部４６ｃ内に入り込み、その突出片３４に第３面４６ｇが接することでアーム７ｂが使用姿勢に向けて回転しないように保持する。
つまり、突出片３４が保持受部３２で、第３面４６ｇが第１保持部４２で、アーム７ｂを未使用姿勢で保持する。
【００２１】
図５に示す状態からアーム７ｂを使用姿勢に向けて矢印ｂで示すように回転すると、図７に示すように、前記第３面４６ｇと連続した第２円弧面４６ｂが突出片３４に接し、その突出片３４を中心に向けて弾性変形する。
これによって、突出片３４がアーム７ｂの回転抵抗となるので、そのアーム７ｂを回転する操作力が大きい。
【００２２】
前述の状態からアーム７ｂをさらに回転して図８に示す使用姿勢となると、突出片３４が第２凹陥部４６ｄに入り込んで元の状態に弾性復元するので、突出片３４がアーム７ｂの回転抵抗にならないので、アーム７ｂを回転する操作力が小さい。
このように、アーム７ｂが使用姿勢となると操作力が小さくなるので、操作する人はアーム７ｂが使用姿勢となったことを知ることができる。
なお、図８の状態からアーム７ｂを未使用姿勢に向けて矢印ａで示すように回転した場合にも図７に示すように突出片３４が第２円弧面４６ｂに接してアーム７ｂの操作力が大きくなり、未使用姿勢となると図５に示すように第１凹陥部４６ｃに突出片３４が入り込んでアーム７ｂの操作力が小さくなるので、アーム７ｂが未使用姿勢となったことを操作する人が知ることができる。
【００２３】
つまり、突出片３４が保持受部３２で、第２円弧面４６ｂが弾性変形用部４４で、操作する人にクリック感を与える。
【００２４】
また、図８に示す使用姿勢の時に第２面４６ｆが第２突部３３ｃに当接してアーム７ｂが矢印ｂ方向に回転することを規制する。
つまり、第２突部３３ｃが第２規制受部３１、第２面４６ｆが第２規制受部４１で、アーム７ｂの回転を使用姿勢で規制する。
【００２５】
図８に示すように、アーム７ｂが使用姿勢の時には突出片３４が第２凹陥部４６ｄに入り込み、第４面４６ｈが突出片３４に接することでアーム７ｂが未使用姿勢に向けて回転できないように保持する。
これによって、アーム７ｂの第２面４６ｆが第２突部３３ｃに衝突した反動ではね上ることを防止できる。
つまり、突出片３４が保持受部３２で、第４面４６ｂが第２保持部４３で、アーム７ｂを使用姿勢で保持する。
【００２６】
次に、取付部材７を縦框２２に取付ける具体例を説明する。
図６に示すように、ベース７ａの上部に取付用穴３６が形成され、この取付用穴３６からビス３７を縦框２２に螺合して取付ける。
前記ビス３７はカバー３８で覆われる。
前記アーム７ｂのベース取付面４５と反対側の面４９の上部には凹部４９ａが形成され、この凹部４９ａにタオル掛け部材８が嵌合して取付けてある。
前記アーム７ｂの面４９の下部にはカバー４９ｂが取付けられ、前記軸４７を覆っている。
【００２７】
前記アーム７ｂの面材２３と対向した面４９ｃは、図５に示すように、アーム７ｂが未使用姿勢の時に垂直に対して下部よりも上部が一方の見付け面２２ａ寄りとなるように傾斜面となり、アーム７ｂの上部と面材２３との間の隙間を大きくして、アーム７ｂの上部、あるいはタオル掛け部材８に手を掛け易くしてある。
【００２８】
次に、本発明の第２の実施の形態を図９〜図１３に基づいて説明する。
この実施の形態はタオル掛け６が前述の実施の形態と相違し、枠体１や建具体２は同様であるので、タオル掛け６を取付けた建具体２についてのみ説明する。
前記左右の縦框２２の見込み面２２ｃに取付けた取付部材７と、この左右の取付部材７に亘って取付けたタオル掛け部材８とでタオル掛け６としてある。
【００２９】
前記取付部材７はベース５０と第１アーム５１と第２アーム５２を備えている。
前記第１アーム５１と第２アーム５２の長手方向一端部がベース５０の上部寄りと下部寄りに上下方向に移動自在で、かつ上下回転自在にそれぞれ取付けてある。
例えば、ベース５０の上部と下部にピン５３をそれぞれ取付け、第１アーム５１と第２アーム５２の長手方向一端寄りに長溝５４を長手方向に向けてそれぞれ形成し、この長溝５４をピン５３に沿って摺動自在で、かつ上下方向に回転自在に嵌合している。
この実施の形態においては、前記ピン５３は小径軸部５３ａと大径頭部５３ｂを有している。
前記長溝５４は幅広い表面側溝５４ａと幅狭い裏面側溝５４ｂを有する段付き形状で、ピン５３の小径軸部５３ａを表面側溝５４ａから裏面側溝５４ｂを挿通してベース５０に固着し、大径頭部５３ｂに沿って表面側溝５４ａが摺動自在である。
また、裏面側溝５４ｂの長手方向両端寄りには突部５４ｃが形成され、小径軸部５３ａが突部５４ｃを越える時に摺動抵抗が大きくなるようにしてある。
これによって、後述するように第１・第２アーム５１，５２を未使用姿勢、例えば直線状姿勢、使用姿勢、例えば横向Ｖ字状姿勢とした時にクリック感を操作する人に与えることができる。
前記第１・第２アーム５１，５２の長溝５４を形成した部分はカバー５５で覆ってある。
【００３０】
前記第１アーム５１と第２アーム５２の長手方向他端部は回転自在に連結され、第１アーム５１と第２アーム５２を図９，図１０に示す未使用姿勢と、図１１と図１２に示すように使用姿勢とに回動できるようにしてある。
前記第１アーム５１と第２アーム５３の連結部にタオル掛け部材８の長手方向端部が取付けてある。
例えば、第１アーム５１の長手方向他端部と第２アーム５２の長手方向他端部を軸５６で連結し、その軸５６に中空形状のタオル掛け部材８を嵌合して回転自在に取付ける。
【００３１】
このようであるから、ベース５０を縦框２２の見込み面２２ｃにビス５７で固着して取付け、第１・第２アーム５１，５２が図９、図１０に示すように未使用姿勢とすることで、タオル掛け部材８が縦框２２の見込み面２２ｃ内に収納され、縦框２２の一方の見付け面２２ａから見込み方向一方側に張り出すことがないようにしてある。
これによって、未使用時にタオル掛け６が邪魔にならない。
なお、この実施の形態においても前述の第１の実施の形態と同様に第１・第２アーム５１，５２が未使用姿勢の時にタオル掛け部材８の一部分が縦框２２の一方の見付け面２２ａから張り出すようにしても良い。すなわち、タオル掛け部材３の少なくとも一部分が縦框２２の見込み面２２ｃ内に収納されるようにすれば良い。
【００３２】
前記第１・第２アーム５１，５２を図１１、図１２に示すように使用姿勢とすれば、タオル掛け部材８が縦框２２の一方の見付け面２２ａよりも見込み方向一方側に大きく張り出し、面材２３との間の隙間が大きくなるので、使用時にタオルを掛け易い。
【００３３】
また、タオル掛け部材８を手で持って押したり、引いたりすることで第１・第２部材５１，５２を未使用姿勢、使用姿勢にできるので、その操作が簡単である。
【００３４】
この実施の形態では、図１３に示すように、第１・第２アーム５１，５２の長手方向他端部分５１ａ，５２ａの厚さを半分とし、その他端部分５１ａ，５２ａを重ね合せて軸５６で回転自在に連結してある。
これによって、第１アーム５１と第２アーム５２を見付け方向に同一位置として見付け方向の寸法を小さくできるし、見栄えを良くできる。
この実施の形態では、第１・第２アーム５１，５２の使用姿勢を横向Ｖ字状姿勢としたが、これに限ることはなく、第１・第２アーム５１，５２を重なり合った横向直線状姿勢としても良い。
また、第１アーム５１の長手方向中間部に第２アーム５２を連結し、その第１アーム５１の長手方向他端部にタオル掛け部材８を取付け、第１・第２アーム５１，５２の使用姿勢を横向Ｙ字状姿勢又は横向直線状姿勢となるようにしても良い。
また、第１・第２アーム５１，５２の長手方向一端部を上下回転自在で、上下方向には移動しないように取付け、その第１アーム５１の長手方向他端部にタオル掛け８を取付け、その第１アーム５１の長手方向中間部に第２アーム５２の長手方向他端部を長手方向にスライド自在に連結し、第１・第２アーム５１，５２の使用姿勢を横向Ｙ字状姿勢又は横向直線状姿勢になるようにしても良い。
要するに、前記取付部材７は、縦框２２に取付けたベース５０に第１アーム５１と第２アーム５２を、未使用姿勢と使用姿勢とに亘って回動自在に取付け、前記第１・第２アーム５１，５２が未使用姿勢の時にはタオル掛け部材８の少なくとも一部分が縦框２２の見込み面２２ｃ内に収納され、前記第１・第２アーム５１，５２が使用姿勢の時にはタオル掛け部材８が縦框２２の見付け面よりも張り出すようにすれば良い。
【００３５】
次に、本発明の第３の実施の形態を図１４〜図１６に基づいて説明する。
この実施の形態はタオル掛け６が前述の第１の実施の形態と相違し、枠体１や建具体２は同様であるので、タオル掛け６を取付けた建具体２についてのみ説明する。
前記左右の縦框２２の見込み面２２ｃに取付けた取付部材７と、この左右の取付部材７に亘って取付けたタオル掛け部材８とでタオル掛け６としてある。
【００３６】
前記取付部材７は見込み方向に伸縮自在である。
例えば、ベース６０に第１摺動体６１を見込み方向にスライド自在に取付け、この第１摺動体６１に第２摺動体６２が見込み方向にスライド自在に取付けてある。
前記第２摺動体６２にタオル掛け部材８の長手方向端部が取付けてある。
【００３７】
図１４に示すように、第１・第２摺動体６１，６２を面材２３側にスライドして取付部材７を縮み状態とすると、タオル掛け部材８が縦框２２の見込み面２２ｃ内に収納され、縦框２２の一方の見付け面２２ａから見込み方向一方に張り出してない。
なお、この実施の形態においても前述の実施の形態と同様にタオル掛け部材８の一部分が縦框２２の一方の見付け面２２ａから張り出しても良い。
このようであるから、未使用時にタオル掛け６が邪魔にならない。
【００３８】
図１５に示すように、第１摺動体６１をベース６０に対して見込み方向一方にスライドすると共に、第２摺動体６２を第１摺動体６１に対して見込み方向一方にスライドして取付部材７を伸び状態とすると、タオル掛け部材８が縦框２２の一方の見付け面２２ａから張り出し、面材２３と間の隙間が大きい。
このようであるから、使用時にタオルを掛け易い。
【００３９】
前記取付部材７の具体形状を説明する。
ベース６０はビス６３で縦框２２の見込み面２２ｃに固着して取付けられ、見込み方向に向うガイド凹部６０ａと長孔６０ｂを有している。
このベース６０のガイド凹部６０ａに第１摺動体６１がスライド自在に嵌合して取付けられ、前記長孔６０ｂを挿通した縦ピン６４が第１摺動体６１に挿通して固定してある。
前記第１摺動体６１のガイド凹部６１ａに第２摺動体６２がスライド自在に嵌合して取付けられ、第１摺動体６１の長孔６１ｂを挿通した縦ピン６５が第２摺動体６２に挿通して固定してある。
【００４０】
次に、本発明の第４の実施の形態を図１７と図１８に基づいて説明する。
この実施の形態はタオル掛け６が前述の実施１の形態と相違し、枠体１や建具体２は同様であるので、タオル掛け６を取付けた建具体２についてのみ説明する。
前記左右の縦框２２の見込み面２２ｃに取付けた取付部材７と、この左右の取付部材７に亘って取付けたタオル掛け部材８とでタオル掛け６としてある。
【００４１】
前記取付部材７はベース７０とアーム８０を備えている。
前記アーム８０はベース７０に対して上下移動自在で、上方に移動した状態で使用姿勢、例えば横向姿勢に回転でき、下方に移動した時には未使用姿勢、例えば縦向き姿勢に保持される。
前記アーム８０にタオル掛け部材８の長手方向端部が取付けてある。
【００４２】
このようであるから、アーム８０を下方位置とした時には未使用姿勢で保持され、タオル掛け部材８は縦框２２の見込み面２２ｃの見込み内に収納されるので、そのタオル掛け部材８が縦框２２の一方の見付け面２２ａから見込み方向一方に張り出すことがない。
なお、この実施の形態においても前述と同様にタオル掛け部材８の一部分が縦框２２の一方の見付け面２２ａから見込み方向一方に張り出しても良い。
【００４３】
したがって、未使用時にアーム８０を未使用姿勢とすれば、タオル掛け６が邪魔にならない。
【００４４】
また、前記アーム８０を図１８の２点鎖線で示すように上方位置とすることで、そのアーム８０を図１８の１点鎖線で示すように使用姿勢とすることができる。
前記アーム８０が使用姿勢であると、タオル掛け部材８が縦框２２の一方の見付け面２２ａよりも見込み方向一方に大きく張り出し、面材２３との間の隙間が大きい。
したがって、使用時にアーム８０を使用姿勢とすれば、タオルを掛け易い。
【００４５】
前記取付部材７の具体形状を説明する。
ベース７０にはピン７１と第１ストッパ７２と第２ストッパ７３が設けてある。
アーム８０の長手方向一端寄りには長手方向の長孔８１が形成されていると共に、長手方向一端部に凹部８２が形成してある。
前記アーム８０の長孔８１がピン７１に嵌合し、アーム８０はピン７１をガイドとして上下方向に移動する。
そして、アーム８０が図１８の実線で示す未使用姿勢の時には凹部８２が第１ストッパ７２に嵌合し、アーム８０を未使用姿勢で保持する。
前記アーム８０が使用姿勢の時には第２ストッパ７３に当接して保持される。
【００４６】
本発明のタオル掛け６は、手摺、ハンドルとして使用することも可能である。
例えば、手摺として使用する場合には、タオル掛け部材８に手を掛けるようにする。
また、ハンドルとして使用する場合には、タオル掛け部材８を持って建具体を開閉操作するようにする。
なお、手摺、ハンドルとして使用する場合には各部材を適宜に金属製等にして強度を確保する。
【図面の簡単な説明】
【００４７】
【図１】本発明の実施の形態を示す浴室建具の概略正面図である。
【図２】図１の概略横断面図である。
【図３】タオル掛け取付け部分の未使用時の斜視図である。
【図４】タオル掛け取付け部分の使用時の斜視図である。
【図５】タオル掛け取付け部分の詳細側面図である。
【図６】取付部材の分解斜視図である。
【図７】取付部材のアーム回転動作説明図である。
【図８】取付部材のアーム回転動作説明図である。
【図９】本発明の第２の実施の形態を示す建具体のタオル掛け未使用時の横断面図である。
【図１０】本発明の第２の実施の形態を示す建具体のタオル掛け未使用時の縦断面図である。
【図１１】本発明の第２の実施の形態を示す建具体のタオル掛け使用時の横断面図である。
【図１２】本発明の第２の実施の形態を示す建具体のタオル掛け使用時の縦断面図である。
【図１３】図１０のＡ−Ａ断面図である。
【図１４】本発明の第３の実施の形態を示す建具体のタオル掛け未使用時の横断面図である。
【図１５】本発明の第３の実施の形態を示す建具体のタオル掛け使用時の横断面図である。
【図１６】図１４のＢ−Ｂ拡大断面図である。
【図１７】本発明の第４の実施の形態を示す建具体のタオル掛け未使用時の横断面図である。
【図１８】本発明の第４の実施の形態を示す建具体のタオル掛け未使用時の縦断面図である。
【符号の説明】
【００４８】
１…枠体、２…建具体、６…タオル掛け、７…取付部材、７ａ…ベース、７ｂ…アーム、７ｃ…回転中心、８…タオル掛け部材、２２…縦框、２２ａ…一方の見付け面、２２ｂ…他方の見付け面、２２ｃ…見込み面、５０…ベース、５１…第１アーム、５２…第２アーム、６０…ベース、６１…第１摺動体、６２…第２摺動体、７０…ベース、８０…アーム。
【図１】
2008208591.tif 000003
【図２】
2008208591.tif 000004
【図３】
2008208591.tif 000005
【図４】
2008208591.tif 000006
【図５】
2008208591.tif 000007
【図６】
2008208591.tif 000008
【図７】
2008208591.tif 000009
【図８】
2008208591.tif 000010
【図９】
2008208591.tif 000011
【図１０】
2008208591.tif 000012
【図１１】
2008208591.tif 000013
【図１２】
2008208591.tif 000014
【図１３】
2008208591.tif 000015
【図１４】
2008208591.tif 000016
【図１５】
2008208591.tif 000017
【図１６】
2008208591.tif 000018
【図１７】
2008208591.tif 000019
【図１８】
2008208591.tif 000020